(57)【要約】【課題】プレゼンテーション及びプリント注文受付を写真撮影所のワークフローから切り離して写真撮影所の負担を軽減し、ユーザは好きな時間に写真プリントの仕上がりイメージ画像と一致する画像を見ながらプリント注文が可能になる。【解決手段】写真館１００でデジタル撮影されたユーザのオリジナル画像は、そのオリジナル画像よりも画像サイズが小さい未処理のビュー画像としてネットサーバ２００にアップロードされる。また、写真館１００にてオリジナル画像に対して適正なプリントを行うための画像処理が行なわれると、その画像処理を示す画像処理情報が、前記ビュー画像の付属情報としてネットサーバ２００に転送される。ネットサーバ２００では、アップロードされた未処理のビュー画像をそのビュー画像に付属する画像処理情報に基づいて画像処理を施し、画像処理済みのビュー画像をユーザ端末機３１０により閲覧できるようにするとともに、プリント注文の受付を行なう。【選択図】          図１
2005012649.tif 000002
【特許請求の範囲】
【請求項１】
写真撮影所でデジタル撮影されたデジタル画像をユーザに閲覧させ、該ユーザからプリント注文を受け付けたデジタル画像をプリントしてユーザに提供するデジタル写真のプリント注文受付方法において、
前記写真撮影所の端末機から前記デジタル撮影により得られたオリジナル画像よりも画像サイズが小さい未処理のビュー画像をネットサーバにアップロードするステップと、
前記写真撮影所において前記オリジナル画像に対して適正なプリントを行うための画像処理を施すステップと、
前記ネットサーバにアップロードしたビュー画像に対応する前記画像処理を示す画像処理情報を、該ビュー画像の付属情報として前記ネットサーバにアップロードするステップと、
前記ネットサーバにおいて前記アップロードされたビュー画像を該ビュー画像に付属する画像処理情報に基づいて画像処理を施し、画像処理済みのビュー画像をユーザの端末機により閲覧可能にするステップと、
前記ユーザの端末機を使用して前記ビュー画像に基づいてプリント注文が行われると、そのプリント注文を示す注文情報を前記写真撮影所の端末機に通知するステップと、
を含むことを特徴とするデジタル写真のプリント注文受付方法。
【請求項２】
前記ネットサーバにアップロードされたビュー画像に付属する画像処理情報を、前記写真撮影所で行われたオリジナル画像に対して適正なプリントを行うための画像処理を施す画像処理手段の使用料の算定に利用することを特徴とする請求項１に記載のデジタル写真のプリント注文受付方法。
【請求項３】
前記写真撮影所は、前記注文情報に対応するオリジナル画像、前記画像処理情報及び前記注文情報をネットワーク又は記録媒体を介して現像所に送ることを特徴とする請求項１のデジタル写真のプリント注文受付方法。
【請求項４】
前記ネットサーバにアップロードされたビュー画像に付属する画像処理情報と前記ユーザの端末機からの注文情報とに基づいて前記現像所に送られる前記画像処理情報を検知し、この検知した画像処理情報を、前記現像所で使用される前記オリジナル画像に対して適正なプリントを行うための画像処理を施す画像処理手段の使用料の算定に利用することを特徴とする請求項３に記載のデジタル写真のプリント注文受付方法。
【請求項５】
写真撮影所でデジタル撮影されたデジタル画像をユーザに閲覧させ、該ユーザからプリント注文を受け付けたデジタル画像のみをプリントしてユーザに提供するデジタル写真のプリント注文受付方法において、
写真撮影所の端末機から前記デジタル撮影により得られたオリジナル画像よりも画像サイズが小さく且つプリント用の画像処理が施されていないビュー画像をネットサーバにアップロードするステップと、
前記ネットサーバにアップロードされたビュー画像をユーザの端末機により閲覧可能にするとともに、ユーザによって前記ビュー画像のうちからプリント仕上がり確認を希望する画像が選択されると、前記選択された画像の情報を前記写真撮影所の端末機に通知するステップと、
前記写真撮影所において前記選択された画像に対応するオリジナル画像に対して適正なプリントを行うための画像処理を施すステップと、
前記画像処理が施されたプリント仕上がり確認用のビュー画像を前記ネットサーバ及びユーザの端末機を介してユーザに閲覧可能にするステップと、
前記ユーザの端末機を使用して前記プリント仕上がり確認用のビュー画像に基づいてプリント注文されると、そのプリント注文を示す注文情報を前記写真撮影所の端末機に通知するステップと、
を含むことを特徴とするデジタル写真のプリント注文受付方法。
【発明の詳細な説明】
【０００１】
【発明の属する技術分野】
本発明はデジタル写真のプリント注文受付方法に係り、特に写真館や撮影スタジオでデジタル撮影されたデジタル写真のプリント注文受付方法に関する。
【０００２】
【従来の技術】
従来、図３に示すように写真館１０のデジタルカメラ１２でデジタル撮影が行われると、撮影終了後に直ちにデジタル撮影によって得られた画像を写真館内のディスプレイ１４に表示させ、写真プリントする画像をユーザに選択して貰うためのプレゼンテーションが行われる。
【０００３】
写真館１０では、画像処理装置１６により前記プレゼンテーションによって選択されたデジタル画像に対して色補正、階調補正、トリミング処理、画像合成（テンプレート合成）等の画像処理を行う。そして、この画像処理済のデジタル画像とともに、プリント枚数、プリントサイズ等の注文情報をメディアに記録し、これを現像所２０に送る。
【０００４】
現像所２０では、写真館１０から受け取ったデジタル画像をユーザの注文情報にしたがってデジタルプリンター２２によりデジタルプリントを行い、このデジタルプリントした写真プリントを写真館１０に引き渡すようにしている。尚、現像所２０のデジタルプリンター２２を使用せずに、写真館１０内のデジタルプリンター１８でプリントする場合もある。
【０００５】
また、従来、撮影前に写真の仕上がりイメージを確認することができるスタジオ写真撮影支援システムが提案されている（特許文献１）。
【０００６】
このシステムは、スタジオ写真の撮影に必要な背景、撮影セット、貸衣装などの画像が登録されているデータベースから背景、撮影セット、貸衣装などの各項目の画像を読み出して表示し、ユーザに各項目について選択させる。そして、選択した背景、撮影セット、貸衣装などの各項目の画像と、ユーザが持参した記録媒体に記録されたユーザの顔画像、又はスタジオのデジタルカメラで撮影したユーザの顔画像とを画像合成し、実際の撮影に先立ってスタジオ写真の仕上がりイメージを確認できるようにし、背景、撮影セット、貸衣装などの使用可能な空き日時を確認してから写真撮影の予約ができるようにしている。
【０００７】
【特許文献１】
特開２００２−３１４９９３号公報
【０００８】
【発明が解決しようとする課題】
しかしながら、写真館や撮影スタジオ等の写真撮影所でのデジタル撮影では、一人のユーザに対してポーズや衣装等を変えて多数の撮影が行われ、その結果、撮影後に行われるプレゼンテーションに多くの時間がかかり、写真館側のプレゼンテーション実施者及びユーザの双方が多くの時間を拘束されるという問題がある。
【０００９】
また、デジタル撮影直後に行われるプレゼンテーションで提示されるデジタル画像は、デジタルカメラ内の画像処理機能等によりデフォルトの画像処理は行われているが、適正な写真プリントを作成するための写真館での各種の補正、修正、トリミング等の画像処理は行われていない。そのため、ユーザはプレゼンテーションで写真プリントの仕上がりイメージの画像を見ることができず、仕上がりイメージと一致していないプレゼンテーション画像に基づいてプリント注文をしなければならないという問題がある。
【００１０】
尚、デジタル撮影直後に行われるプレゼンテーションでは、時間的な制約や撮影枚数の多さのために、写真プリントの仕上がりイメージと一致する画像（即ち、各デジタル画像に対して写真プリント用の画像処理を施した画像）を提示することは困難である。
【００１１】
また、特許文献１に記載のシステムにおいて、実際のスタジオ撮影前に確認可能な写真の仕上がりイメージは、予め準備された背景、撮影セット、貸衣装などの画像と、ユーザの顔写真とを合成した合成写真であり、実際の撮影で取得したオリジナル画像に対して施された各種の画像処理後の画像ではない。
【００１２】
本発明はこのような事情に鑑みてなされたもので、デジタル写真撮影の直後に行われるプレゼンテーションを省略することで写真館や撮影スタジオ等の写真撮影所における負担を軽減するとともに、プレゼンテーションの実施と同様にプリント受注の促進を図ることができ、一方、ユーザにとっては好きな時間にプリント注文する画像を時間をかけて慎重に選択することができるとともに、写真プリントの仕上がりイメージ画像と一致する画像を見てプリント注文することができ、これによりプリント注文したイメージ通りの写真プリントを受け取ることができるデジタル写真のプリント注文受付方法を提供することを目的とする。
【００１３】
【課題を解決するための手段】
前記目的を達成するために請求項１に係る発明は、写真撮影所でデジタル撮影されたデジタル画像をユーザに閲覧させ、該ユーザからプリント注文を受け付けたデジタル画像をプリントしてユーザに提供するデジタル写真のプリント注文受付方法において、前記写真撮影所の端末機から前記デジタル撮影により得られたオリジナル画像よりも画像サイズが小さい未処理のビュー画像をネットサーバにアップロードするステップと、前記写真撮影所において前記オリジナル画像に対して適正なプリントを行うための画像処理を施すステップと、前記ネットサーバにアップロードしたビュー画像に対応する前記画像処理を示す画像処理情報を、該ビュー画像の付属情報として前記ネットサーバにアップロードするステップと、前記ネットサーバにおいて前記アップロードされたビュー画像を該ビュー画像に付属する画像処理情報に基づいて画像処理を施し、画像処理済みのビュー画像をユーザの端末機により閲覧可能にするステップと、前記ユーザの端末機を使用して前記ビュー画像に基づいてプリント注文が行われると、そのプリント注文を示す注文情報を前記写真撮影所の端末機に通知するステップと、を含むことを特徴としている。
【００１４】
即ち、デジタル写真撮影の直後に行われるプレゼンテーションの代わりに、ネットサーバにオリジナル画像から生成したオリジナル画像よりも画像サイズが小さい未処理のビュー画像をアップロードする。また、前記写真撮影所においてオリジナル画像に対して適正なプリントを行うための画像処理（色補正、階調補正、トリミング処理、赤目処理等）を施すと、その画像処理を示す画像処理情報を、前記ビュー画像の付属情報としてビュー画像と同時に又は別々にネットサーバにアップロードする。
【００１５】
ネットサーバでは、アップロードされた未処理のビュー画像をそのビュー画像に付属する画像処理情報に基づいて画像処理を施し、画像処理済みのビュー画像をユーザの端末機により閲覧できるようにする。尚、未処理のビュー画像とそのビュー画像に対する画像処理情報とをネットサーバにアップロードするようにしたため、未処理のビュー画像は、撮影後に直ちにアップロードすることができ、画像処理情報は、未処理のビュー画像をアップロードした後の適宜の時間にネットサーバに転送することができ、また、必要に応じて画像処理情報のみを更新することもできる。そして、ユーザは、ネットサーバ上で処理済みの仕上がりイメージ画像を確認しながら、自宅で好きな時間にプリント注文する画像を慎重に選択することができる。更にトリミングを行い、アルバムの仕上がりなどの最終商品を模擬したイメージを確認し、加工方法の選択と指示も可能である。
【００１６】
ユーザの端末機を使用してビュー画像に基づいてプリント注文が行われると、そのプリント注文を示す注文情報は、ネットサーバを介して写真撮影所の端末機に通知される。
【００１７】
請求項２に示すように請求項１に記載のデジタル写真のプリント注文受付方法において、前記ネットサーバにアップロードされたビュー画像に付属する画像処理情報を、前記写真撮影所で行われたオリジナル画像に対して適正なプリントを行うための画像処理を施す画像処理手段の使用料の算定に利用することを特徴としている。
【００１８】
写真撮影所に対して適正なプリントを行うための画像処理を施す画像処理手段を提供している提供者は、その画像処理手段の使用回数をネットサーバにアップロードされたビュー画像に付属する画像処理情報から取得することができ、画像処理手段の使用回数に応じた使用料の課金が可能である。
【００１９】
請求項３に示すように請求項１のデジタル写真のプリント注文受付方法において、前記写真撮影所は、前記注文情報に対応するオリジナル画像、前記画像処理情報及び前記注文情報をネットワーク又は記録媒体を介して現像所に送ることを特徴としている。
【００２０】
請求項４に示すように請求項３に記載のデジタル写真のプリント注文受付方法において、前記ネットサーバにアップロードされたビュー画像に付属する画像処理情報と前記ユーザの端末機からの注文情報とに基づいて前記現像所に送られる前記画像処理情報を検知し、この検知した画像処理情報を、前記現像所で使用される前記オリジナル画像に対して適正なプリントを行うための画像処理を施す画像処理手段の使用料の算定に利用することを特徴としている。
【００２１】
現像所（ラボ）に対して適正なプリントを行うための画像処理を施す画像処理手段を提供している提供者は、その画像処理手段の使用回数をネットサーバにアップロードされたビュー画像に付属する画像処理情報とユーザの端末機からの注文情報とに基づいて検知することができ、画像処理手段の使用回数に応じた使用料の課金が可能である。
【００２２】
請求項５に係る発明は、写真撮影所でデジタル撮影されたデジタル画像をユーザに閲覧させ、該ユーザからプリント注文を受け付けたデジタル画像のみをプリントしてユーザに提供するデジタル写真のプリント注文受付方法において、写真撮影所の端末機から前記デジタル撮影により得られたオリジナル画像よりも画像サイズが小さく且つプリント用の画像処理が施されていないビュー画像をネットサーバにアップロードするステップと、前記ネットサーバにアップロードされたビュー画像をユーザの端末機により閲覧可能にするとともに、ユーザによって前記ビュー画像のうちからプリント仕上がり確認を希望する画像が選択されると、前記選択された画像の情報を前記写真撮影所の端末機に通知するステップと、前記写真撮影所において前記選択された画像に対応するオリジナル画像に対して適正なプリントを行うための画像処理を施すステップと、前記画像処理が施されたプリント仕上がり確認用のビュー画像を前記ネットサーバ及びユーザの端末機を介してユーザに閲覧可能にするステップと、前記ユーザの端末機を使用して前記プリント仕上がり確認用のビュー画像に基づいてプリント注文されると、そのプリント注文を示す注文情報を前記写真撮影所の端末機に通知するステップと、を含むことを特徴としている。
【００２３】
即ち、デジタル撮影後に写真撮影所の端末機からネットサーバにアップロードされた未処理のビュー画像をユーザに閲覧させ、ユーザにプリント仕上がり確認を希望する画像を選択させる。この選択された画像の情報は、ユーザの端末機からネットサーバを介して写真撮影所の端末機に通知される。
【００２４】
写真撮影所では、ユーザが選択した画像の情報を受け取ると、そのユーザのオリジナル画像のうちの選択された画像に対してのみ適正なプリントを行うための画像処理を施し、この画像処理と同じ画像処理が施されたプリント仕上がり確認用のビュー画像をネットサーバ及びユーザの端末機を介してユーザに閲覧可能にする。また、選択された画像に対し、予め用意されたアルバムフレーム、アルバムレイアウトなどを選択し、最終商品のイメージを確認することもできる。
【００２５】
これにより、写真撮影所は、一人のユーザに対してポーズや衣装等を変えて撮影した多数のオリジナル画像のうちからユーザが選択した画像（即ち、プリント注文される可能性の高い画像）に対してのみ適正なプリントを行うための画像処理を施せばよく、写真撮影所の負担を軽減することができる。
【００２６】
前記プリント仕上がり確認用のビュー画像に基づいてユーザの端末機からプリント注文が行われると、そのプリント注文を示す注文情報は、ネットサーバを介して写真撮影所の端末機に通知される。このようにユーザは、プリント注文前に写真プリントの仕上がりイメージと一致する画像を確認することができる。
【００２７】
【発明の実施の形態】
以下添付図面に従って本発明に係るデジタル写真のプリント注文受付方法の好ましい実施の形態について詳説する。
【００２８】
図１は本発明に係るデジタル写真のプリント注文受付方法が適用されたシステムの構成図である。
【００２９】
図１において、１００は写真館、２００はネットサーバ、３００はユーザの自宅、４００は写真プリントを作成する現像所である。
【００３０】
写真館１００には、ユーザをデジタル撮影するためのデジタルカメラ１１０、画像処理装置１２０、パーソナルコンピュータ等の端末機（以下、「クライアント端末機」という）１３０、及びデジタルプリンター１４０が設けられている。
【００３１】
写真館１００の撮影者は、デジタルカメラ１１０を操作し、一人のユーザに対してポーズや衣装等を変えて通常、数十枚分の撮影を行う。このようにしてデジタル撮影されたデジタル画像（オリジナル画像）は、デジタルカメラ１１０のメディアを介して、又はＵＳＢケーブル等の通信ケーブルを介して画像処理装置１２０のハードディスク等の大容量メディアに格納される。
【００３２】
画像処理装置１２０は、オリジナル画像に対して適正なプリントを行うための画像処理を施す画像処理手段（画像処理ソフトウエアを含む）や、トリミング処理、プリントサイズ、プリント枚数等を指定するための操作手段を備えており、操作者は、この画像処理装置１２０を操作してオリジナル画像の色補正、階調補正、トリミング処理、画像合成（テンプレート合成）、赤目処理等を行うことができるようになっている。
【００３３】
画像処理装置１２０とクライアント端末機１３０とは、相互に通信可能になっており、画像処理装置１２０からはオリジナル画像と、画像処理装置１２０においてオリジナル画像に対して施された画像処理の情報（画像処理情報）がクライアント端末機１３０に送信され、クライアント端末機１３０からはユーザによって選択されたプリント仕上がり確認を希望する画像の情報やプリント注文情報が画像処理装置１２０に送信される。画像処理装置１２０は、プリント注文情報を受信すると、そのプリント注文に対応するオリジナル画像の画像データ（例えば、デジタルカメラ１１０の撮像素子のＲ，Ｇ，Ｂのカラーフィルタ配列のままの生データ）と、そのオリジナル画像に対して施した画像処理情報と、注文情報とを記録媒体に記録する。この記録媒体は、写真プリントの作成を依頼するために現像所４００に送付される。
【００３４】
尚、画像処理情報は、オリジナル画像の画像ファイル内部に含ませるようにしてもよいし、また、別途、写真館１００で管理しているデータベース等に格納しておき、このデータベースから対応する画像処理情報を読み出すためのアドレスを通知するようにしてもよい。更に、写真館１００から前記オリジナル画像の画像データ等をネットワークを通じて現像所４００に転送するようにしてもよい。
【００３５】
また、現像所４００に写真プリントの作成を依頼する代わりに、プリント注文を受け付けたオリジナル画像の画像処理後の画像データを、画像処理装置１２０から写真館１００内のデジタルプリンター１４０に送り、ここで写真プリントを作成してもよい。
【００３６】
クライアント端末機１３０は、画像処理装置１２０から受信したオリジナル画像を、そのオリジナル画像よりも画像サイズが小さい画像にリサイズし、このリサイズした画像をビュー画像としてネットサーバ２００にアップロードする。尚、ビュー画像の画像サイズは、例えば、３２０×４８０ピクセルの縦長（通常、ポートレート写真は縦に撮影する場合が多いため縦長）である。また、オリジナル画像からビュー画像を作成するリサイズ処理は、画像処理装置１２０で行ってもよい。
【００３７】
また、クライアント端末機１３０は、画像処理装置１２０から受信した画像処理情報を、その画像処理を施すべきビュー画像と関連づけるための付属情報（例えば、ファイル名）とともにネットサーバ２００に送信する。
【００３８】
ネットサーバ２００は、未処理のビュー画像をそのビュー画像に付属する画像処理情報によって画像処理を行い、写真プリントの仕上がりイメージの画像（処理済みのビュー画像）をネット上でエミュレーションするための画像処理手段２１０や、ビュー画像の登録機能、登録したビュー画像をユーザに閲覧させる機能、ユーザ認証機能、プリント受注機能等を備えている。
【００３９】
ユーザの自宅３００には、パーソナルコンピュータ等の端末機（以下、「ユーザ端末機」という）３１０が設けられている。このユーザ端末機３１０は、ネットワークを利用することができるもので、通常のパーソナルコンピュータが備えているホームページ閲覧機能等を有している。
【００４０】
ユーザは、ユーザ端末機３１０によりネットワーク上のネットサーバ２００にＵＲＬ（Ｕｎｉｆｏｒｍ  Ｒｅｓｏｕｒｃｅ  Ｌｏｃａｔｏｒｓ  ）を使ってアクセスし、更にユーザＩＤやパスワードを入力することでログインし、写真館１００によってネットサーバ２００にアップロードされた自分のビュー画像を閲覧することができる。また、このビュー画像を閲覧しながら、ネットサーバ２００が提供するプリント注文画面等を使用して所望の画像の選択や加工形態を選択しプリント注文を行うことができる。
【００４１】
尚、ネットサーバ２００は、写真館１００から各ユーザのビュー画像がアップロードされると、ユーザ毎にユーザＩＤやパスワードを発行し、各ユーザに電子メールにより、又は写真館１００を経由してネットサーバ２００のＵＲＬ、ユーザＩＤ、パスワードを通知する。
【００４２】
現像所４００には、画像処理装置４１０及びデジタルプリンター４２０が設置されている。画像処理装置４１０は、写真館１００からデジタルメディア等を介して受け取ったオリジナル画像の画像データと、そのオリジナル画像に対して施した画像処理情報とに基づいてオリジナル画像の画像データの画像処理を行い、この画像処理済みの画像データとプリントサイズ、プリント枚数等の情報をデジタルプリンター４２０に送る。尚、画像処理装置４１０でオリジナル画像に対して使用する画像処理情報は、ネットサーバ２００から取り込んでもよい。
【００４３】
デジタルプリンター４２０は、前記画像処理装置４１０から入力した画像処理済みの画像データに基づいて銀塩方式のカラーペーパーにＲ，Ｇ，Ｂレーザーで走査露光して画像をプリントする。
【００４４】
現像所４００にて作成された写真プリントは、プリント作成を依頼した写真館１００に配送され、又はユーザの自宅３００に直接宅配される。
【００４５】
次に、写真館１００でのデジタル撮影からプリント注文受付までの流れを説明する。
【００４６】
図２に示すように、まず写真館１００において、デジタルカメラ１１０によりユーザの撮影を行う（ステップＳ１０）。デジタル撮影が終了すると、オリジナル画像から画像サイズの小さいビュー画像を作成し（ステップＳ１２）、このビュー画像をネットサーバ２００にアップロードする。
【００４７】
ユーザは、写真館１００での撮影終了後、自宅で好きな時間にネットサーバ２００にアクセスし、ユーザＩＤやパスワードを入力することで、ネットサーバ２００にアップロードされた自分のビュー画像を閲覧することができる。尚、この時点のビュー画像は、画像処理が施されていない未処理画像である。
【００４８】
前記ビュー画像が表示されたユーザ端末機３１０の画面上には、ビュー画像の中からプリント仕上がりイメージを確認したい画像の選択項目があり、ユーザがビュー画像のうちからプリント仕上がり確認を希望する画像を選択すると、選択した画像の情報（ユーザＩＤ及びファイル名等）がネットサーバ２００を介して写真館１００のクライアント端末機１３０に通知される。尚、この時点で、プリントする画像やプリント枚数等のプリント注文を受け付けることもできる。
【００４９】
写真館１００では、ネットサーバ２００を介してプリント仕上がり確認を希望する選択画像が通知されると、写真館１００の操作者は、ユーザの一連の画像のうち、ユーザによって選択された画像についてのみ、画像処理装置１２０を操作して選択された画像（オリジナル画像）に対して適正なプリントを行うための画像処理（色補正、階調補正、トリミング処理、画像合成（テンプレート合成）、赤目処理等）を施す（ステップＳ１４）。
【００５０】
上記のようにしてユーザによって選択された画像に対する画像処理が行われると、その画像処理の種類や内容等を示す画像処理情報は、クライアント端末機１３０を介して画像処理を施すべきビュー画像と関連づけるための付属情報とともにネットサーバ２００に送信される。
【００５１】
ネットサーバ２００は、写真館１００から未処理のビュー画像に対する画像処理情報を受信すると、未処理のビュー画像に対してその画像処理情報に基づいて画像処理を施す（ステップＳ２０）。その後、ユーザから再度、サーバ接続が行われると、事前に選択された画像の写真プリントの仕上がりイメージ（処理済みのビュー画像）をユーザに閲覧させることができる。尚、この場合、処理済みのビュー画像と、未処理のビュー画像とが混在するため、ユーザが両者を識別できるように識別情報を表示したり、未処理のビュー画像と処理済みのビュー画像とを並べて表示することが好ましい。
【００５２】
そして、ネット上で処理済みのビュー画像により写真プリントの仕上がりイメージを確認しながら、ユーザ端末機３１０の画面上にてプリント注文する画像の選択やプリント枚数等を指示するプリント注文が行なわれると、そのプリント注文を示す注文情報はネットサーバ２００を介して写真館１００のクライアント端末機１３０に通知される。
【００５３】
写真館１００は、このようにして注文情報を受信すると、前述したようにプリント注文されたオリジナル画像の画像データ、画像処理情報、及び注文情報をデジタルメディア等を介して現像所４００に送る。
【００５４】
尚、この実施の形態では、現像所に写真プリントの作成を依頼する際に、オリジナル画像の画像データと画像処理情報とを現像所に送るようにしたが、写真館内の画像処理装置により所要の画像処理が施されたオリジナル画像の画像データを現像所に送るようにしてもよい。
【００５５】
また、写真館にオリジナル画像に対して適正なプリントを行うための画像処理を施す画像処理手段を提供する提供者は、ネットサーバにアップロードされたビュー画像に付属する画像処理情報に基づいて画像処理手段毎の使用回数を検知することができ、その使用回数に応じて使用料を課金することができる。尚、前記ネットサーバ内に前記使用料を算定する手段を設けるようにしてもよいし、前記画像処理手段を提供する提供者の端末機にネットサーバから前記使用料の算定に必要な情報を送信し、提供者の端末機にて使用料を算定するようにしてもよい。
【００５６】
同様に、現像所にオリジナル画像に対して適正なプリントを行うための画像処理を施す画像処理手段を提供する提供者は、ネットサーバにアップロードされたビュー画像に付属する画像処理情報とユーザ端末機からの注文情報とに基づいて現像所に送られる画像処理情報を検知することができ、この検知した画像処理情報に基づいて画像処理手段毎の使用回数を検知し、その使用回数に応じて使用料を課金することができる。
【００５７】
【発明の効果】
以上説明したように本発明によれば、写真館や撮影スタジオ等の写真撮影所でデジタル撮影したユーザの画像を、ネット上でユーザに閲覧させるとともに、プリント注文する画像の選択を含むプリント注文を受け付けるようにしたため、写真撮影所での撮影の直後に行われるプリント注文を受け付けるためのプレゼンテーションを写真撮影所のワークフローから切り離すことができ、写真撮影所の負担を軽減することができるとともに、ユーザにとっては好きな時間にプリント注文する画像を時間をかけて慎重に選択することができるという利点がある。
【００５８】
また、撮影後にネットサーバにアップロードした未処理のビュー画像をユーザに閲覧させてユーザにプリント仕上がり確認を希望する画像を選択させ、写真撮影所では、ユーザが選択した画像に対してのみオリジナル画像に対して適正なプリントを行うための画像処理を施し、この画像処理と同じ画像処理が施されたプリント仕上がり確認用のビュー画像をネット上でユーザに閲覧させるようにしたため、一人のユーザに対してポーズや衣装等を変えて撮影された全ての画像についてプリント用の画像処理を施す必要がなく、写真撮影所の負担を軽減することができるとともに、ユーザはプリント仕上がりイメージの確認を希望する画像については、プリント仕上がりイメージと一致するビュー画像を閲覧することができ、これによりプリント注文したイメージ通りの写真プリントを受け取ることができる。
【００５９】
更に、写真撮影所においてオリジナル画像に対して適正なプリントを行うための画像処理を示す画像処理情報を、未処理のビュー画像の付属情報としてネットサーバに転送し、ネットサーバ上でビュー画像をその画像処理情報に基づいて処理するようにしたため、未処理のビュー画像は、撮影後に直ちにアップロードすることができ、画像処理情報は、未処理のビュー画像をアップロードした後の適宜の時間にネットサーバに転送することができ、また、必要に応じて画像処理情報のみを更新することもできる利点がある。
【図面の簡単な説明】
【図１】本発明に係るデジタル写真のプリント注文受付方法が適用されたシステムの構成図
【図２】写真館でのデジタル撮影からネット上でのプリント注文受付までの流れを説明するための用いたフローチャート
【図３】従来のプリント注文を受け付けるためのプレゼンテーションを含む写真館のワークフローを示す図
【符号の説明】
１００…写真館、１１０…デジタルカメラ、１２０、４１０…画像処理装置、１３０…クライアント端末機、２００…ネットサーバ、２１０…画像処理手段、３００…ユーザの自宅、３１０…ユーザ端末機、４００…現像所、４２０…デジタルプリンター
【図１】
2005012649.tif 000003
【図２】
2005012649.tif 000004
【図３】
2005012649.tif 000005